(57)【特許請求の範囲】
【請求項１】
移動局においてワイヤレス信号をソフト合成するための方法において、
第１のセルから第１のダウンリンク信号を受信することと、
第２のセルから第２のダウンリンク信号を受信することと、
前記移動局のアップリンクタイミングと、前記第１のセルおよび前記第２のセルからのダウンリンク疑似ランダム雑音（ＰＮ）シーケンスフレームタイミングとの間の時間遅延差として、時間オフセット値を測定することと、
システムフレーム番号（ＳＦＮ）と、前記測定された時間オフセット値とを含む報告メッセージを送信することと、
アクティブセット更新メッセージを通して、前記第１のセルからの第１のダウンリンクデータフレーム時間オフセットと、前記第２のセルからの第２のダウンリンクデータフレーム時間オフセットとを受信することと、
前記第１および第２のダウンリンクデータフレーム時間オフセットをタイミングブロックに提供することと、
前記第１および前記第２のダウンリンクデータフレーム時間オフセットのそれぞれに基づいて、前記第１および第２のダウンリンク信号のタイミングを調整することと、
ソフト合成器において、前記第１および第２のダウンリンク信号をソフト合成することとを含む方法。
【請求項２】
前記タイミングを調整する前に、前記第１および第２のダウンリンク信号上で、ダウンコンバートと信号処理とを実行することをさらに含む請求項１記載の方法。
【請求項３】
前記第１のダウンリンク信号を第１の逆拡散器に入力し、前記第２のダウンリンク信号を第２の逆拡散器に入力することと、
前記第１のダウンリンクデータフレーム時間オフセットに基づいて、前記第１のダウンリンク信号の第１のデータフレーム境界を決定することと、
前記第２のダウンリンクデータフレーム時間オフセットに基づいて、前記第２のダウンリンク信号の第２のデータフレーム境界を決定することと、
各データフレーム中の対応するデータシンボルが、前記ソフト合成器において正しくソフト合成されるように、前記第１および第２のダウンリンク信号のＰＮシーケンスタイミングを調整することとをさらに含む請求項２記載の方法。
【請求項４】
情報を取り出すために、前記ソフト合成動作の結果を復調器／デコーダに提供することをさらに含む請求項３記載の方法。
【請求項５】
それぞれのダウンリンクデータフレーム時間オフセットに基づいて、各データフレーム境界を決定することは、
ＰＮシーケンスタイミングを測定することと、
前記ＰＮシーケンスタイミングと、共通制御チャネルおよびパイロットチャネルのフレームタイミングとの間の関係に基づいて、前記共通制御チャネルと前記パイロットチャネルとのタイミング境界を決定することと、
前記ＰＮシーケンスの開始からの前記データフレーム時間オフセットの増分の時間的オフセットに基づいて、前記第１のデータシンボルの境界を決定することと含む請求項３記載の方法。
【請求項６】
前記合成動作のために、前記データシンボルの境界を識別した後に、前記移動局の内部タイミングを調整することをさらに含む請求項５記載の方法。
【請求項７】
他のダウンリンク信号に割り当てられた他のフィンガから出力されているデータシンボル境界に一致するように、レイク受信機フィンガのデータシンボル境界を調整することをさらに含む請求項６記載の方法。
【請求項８】
情報を取り出すために、前記ソフト合成動作の結果を復調器／デコーダに提供することをさらに含む請求項１記載の方法。
【請求項９】
移動局において、
受信機と、
送信機と、
タイミングブロックと、
ソフト合成器とを具備し、
前記受信機は、第１のセルから第１のダウンリンク信号を受信し、第２のセルから第２のダウンリンク信号を受信するように構成され、
前記送信機は、システムフレーム番号（ＳＦＮ）と、前記移動局のアップリンクタイミングと、前記第１のセルおよび前記第２のセルからのダウンリンク疑似ランダム雑音（ＰＮ）シーケンスフレームタイミングとの間の測定された時間遅延差とを含む報告メッセージを送信するように構成され、
前記受信機は、アクティブセット更新メッセージを通して、前記第１のセルからの第１のダウンリンクデータフレーム時間オフセットと、前記第２のセルからの第２のダウンリンクデータフレーム時間オフセットとを受信し、前記第１および第２のダウンリンクデータフレーム時間オフセットを前記タイミングブロックに提供するようにさらに構成され、
前記タイミングブロックは、前記第１および第２のダウンリンクデータフレーム時間オフセットのそれぞれに基づいて、前記第１および第２のダウンリンク信号のタイミングを調整するように構成され、
前記ソフト合成器は、前記第１および第２のダウンリンク信号をソフト合成するように構成されている移動局。
【請求項１０】
前記受信機は、前記タイミングブロックへの入力の前に、前記第１および第２のダウンリンク信号上で、ダウンコンバートと信号処理とを実行するようにさらに構成されている請求項９記載の移動局。
【請求項１１】
前記第１のダウンリンク信号を受け取るように構成されている第１の逆拡散器と、前記第２のダウンリンク信号を受け取る第２の逆拡散器とをさらに具備し、
前記タイミングブロックは、各データフレーム中の対応するデータシンボルが、前記ソフト合成器において正しくソフト合成されるように、前記第１および第２のダウンリンク信号のＰＮシーケンスタイミングを調整するようにさらに構成されている請求項１０記載の移動局。
【請求項１２】
前記ソフト合成器の出力から情報を取り出すように構成されている復調器／デコーダをさらに具備する請求項１１記載の移動局。
【請求項１３】
前記ソフト合成器の出力から情報を取り出すように構成されている復調器／デコーダをさらに具備する請求項９記載の移動局。
【請求項１４】
移動局において、
第１のセルから第１のダウンリンク信号を受信し、第２のセルから第２のダウンリンク信号を受信する手段と、
前記移動局のアップリンクタイミングと、前記第１のセルおよび前記第２のセルからのダウンリンク疑似ランダム雑音（ＰＮ）シーケンスフレームタイミングとの間の時間遅延差として、時間オフセット値を測定する手段と、
システムフレーム番号（ＳＦＮ）と、前記測定された時間オフセット値とを含む報告メッセージを送信する手段と、
アクティブセット更新メッセージを通して、前記第１のセルからの第１のダウンリンクデータフレーム時間オフセットと、前記第２のセルからの第２のダウンリンクデータフレーム時間オフセットとを受信する手段と、
前記第１および第２のダウンリンクデータフレーム時間オフセットのそれぞれに基づいて、前記第１および第２のダウンリンク信号のタイミングを調整する手段と、
前記第１および前記第２のダウンリンク信号をソフト合成する手段とを具備する移動局。
【請求項１５】
前記タイミングを調整する前に、前記第１および第２のダウンリンク信号上で、ダウンコンバートと信号処理とを実行する手段をさらに具備する請求項１４記載の移動局。
【請求項１６】
前記第１のダウンリンク信号および前記第２のダウンリンク信号を逆拡散する手段と、
前記第１のダウンリンクデータフレーム時間オフセットに基づいて、前記第１のダウンリンク信号の第１のデータフレーム境界を決定する手段と、
前記第２のダウンリンクデータフレーム時間オフセットに基づいて、前記第２のダウンリンク信号の第２のデータフレーム境界を決定する手段と、
各データフレーム中の対応するデータシンボルが、前記ソフト合成する手段において正しくソフト合成されるように、前記第１および第２のダウンリンク信号のＰＮシーケンスタイミングを調整する手段とをさらに具備する請求項１５記載の移動局。
【請求項１７】
情報を取り出すために、前記ソフト合成動作の結果を復調／デコードする手段をさらに具備する請求項１６記載の移動局。
【請求項１８】
それぞれのダウンリンクデータフレーム時間オフセットに基づいて、各データフレーム境界を決定する手段は、
ＰＮシーケンスタイミングを測定する手段と、
前記ＰＮシーケンスタイミングと、共通制御チャネルおよびパイロットチャネルのフレームタイミングとの間の関係に基づいて、前記共通制御チャネルと前記パイロットチャネルとのタイミング境界を決定する手段と、
前記ＰＮシーケンスの開始からの前記データフレーム時間オフセットの増分の時間的オフセットに基づいて、前記第１のデータシンボルの境界を決定する手段と具備する請求項１６記載の移動局。
【請求項１９】
前記合成動作のために、前記データシンボルの境界を識別した後に、前記移動局の内部タイミングを調整する手段をさらに具備する請求項１８記載の移動局。
【請求項２０】
情報を取り出すために、前記ソフト合成動作の結果を復調／デコードする手段をさらに具備する請求項１４記載の移動局。
【発明の詳細な説明】
【発明の分野】
【０００１】
本発明は通信システムに関する。特に、本発明はワイドバンドコード分割多元接続（ＷＣＤＭＡ）（登録商標）原理にしたがって動作する通信システムにおけるソフトハンドオフ動作のための新規で改良された方法および装置に関する。
【関連技術の説明】
【０００２】
第３世代パートナーシッププロジェクト（３ＧＰＰ）はＷＣＤＭＡ標準規格として一般的に呼ばれるその技術仕様書の１つのバージョンを最近発行した。この刊行物は技術的によく知られており、ＷＣＤＭＡシステムにおける動作標準規格を記述している。この標準規格は特許に対するこの出願の時点で依然として発展している。標準規格のコピーはフランスのヴァルボンヌ、ソフィア・アンティポリス、６５０ルーテ・デス・ルコルズ、３ＧＰＰにコンタクトすることにより、あるいはインターネットアドレスｗｗｗ．３ｇｐｐ．ｏｒｇでワールドワイドウェブにアクセスすることにより得ることができる。特許に対するこの出願の時点で標準規格の最新のバージョン、および同じものの以前に改訂された刊行物のすべては、参照によりここに組み込まれている。
【０００３】
ソフトハンドオフ動作はよく知られている。米国特許番号第５，６４０，４１４号でブラッケニーＩＩ氏らに発行された特許、および米国特許番号第５，１０１，５０１号でギルハウゼン氏らに発行された特許はともに、特許に対する本願の譲受人に譲渡され、参照によりここに組み込まれており、ＣＤＭＡ通信システムにおける通信でソフトハンドオフを提供する方法およびシステムを提供する。一般的に、ソフトハンドオフ動作における移動局は異なるセルから送信された複数の信号を受信して合成し、情報の全体的なデコーディングおよび復調を向上させる。ソフトハンドオフ動作に関連するセルから送信される信号は同じ情報を伝える。信号のデコーディングおよび復調後に移動局はソフト合計動作でデータメトリクスを合成して、データエネルギを加算する。結果として、情報データはより少ないエラーで受信される。
【０００４】
ＷＣＤＭＡを含むＣＤＭＡシステムでは、各セルは独特な疑似ランダム雑音（ＰＮ）シーケンスを持つ。各セルから送信されるダウンリンク信号は信号拡散関数の一部としてＰＮシーケンスと乗算される。移動局により受信されたダウンリンク信号は送信機により使用されたＰＮシーケンスにしたがって逆拡散動作を受ける。データシンボルレベルにおける逆拡散動作の結果は、ソフトハンドオフ動作に関係する他のセルにより送信された他の信号の逆拡散動作の結果と合成される。同じセルから発生されたがマルチパスにより異なる遅延で移動局に到着した信号は同じ方法で合成することができる。一般的に知られているレイク受信機が合成動作のために使用される。
【０００５】
ソフト合成動作を実行するときに、ソフトハンドオフに関係するセルから受信された一致シンボルを移動局が合成することが重要である。例えば、第１のセルからの特定フレームの第１のシンボルは、第２のセルからの一致シンボルの第１のシンボルと合成される必要があるなどである。移動局は各セルからのデータ信号のフレームタイミングを知る必要がある。セルタイミングが相互に非同期である可能性、ＰＮ拡散コードフレームタイミングとデータフレームタイミングとの間の可能性あるタイミングオフセット、および伝搬遅延における不確実性を含む要因のために、移動局は必ずしも各セルからのシンボルの到着タイミングを信頼してどのシンボルを合成すべきかを決定することができない。
【０００６】
したがって、移動局におけるソフトハンドオフ動作に関係する各セルにより送信される各ダウンリンク信号のデータフレーム時間オフセットを移動局が確実に知るための方法および装置に対する必要性がある。
【発明の概要】
【０００７】
本発明は通信システムにおける新規で改良された方法および装置に向けられており、ダウンリンクデータフレーム時間オフセットを決定し、セルから移動局にダウンリンクデータフレーム時間オフセットを送信することにより、ダウンリンクデータフレーム時間オフセットを移動局に知らせる。この方法とそれに伴う装置は移動局により測定される時間オフセット情報を受信することをさらに含むと利点がある。ダウンリンクデータフレーム時間オフセットを決定することは移動局により測定される時間オフセットに基づく。移動局はメッセージのオフセット情報に基づいてフレーム境界のタイミングを決定することができる。移動局により送信され、ネットワークにより受信されるタイミングオフセット測定報告が新しいセルにより使用されて、フレームオフセットが見出される。いったん新しいセルがオフセットを見出すと、選択されたオフセットを移動局に信号送信する。この方法とそれに伴う装置は、測定報告メッセージを通して時間オフセットを受信することをさらに含むと利点がある。時間オフセットは移動局により測定される。測定報告メッセージは移動局により、セルを制御する基地局制御装置に少なくとも送信される。いったん移動局がアクティブセット更新メッセージを受信すると、データフレーム時間オフセット情報がタイミングブロックに提供される。各ダウンリンク信号に関係するデータフレーム時間オフセットを知ると、タイミングブロックは各ダウンリンク信号のデータフレーム境界を決定することができる。タイミングブロックはデータフレーム時間オフセットに関係するダウンリンク信号に対応するＰＮシーケンスタイミングを調整するので、各データフレーム中の対応するデータシンボルは合成器で正しくソフト合成される。ソフト合成動作の結果は情報を取り出すために復調器／デコーダで処理されると利点がある。
【図面の簡単な説明】
【０００８】
本発明の特徴、目的および効果は、同一の参照文字が全体を通して対応したものを識別している図面を考慮すると、以下に記述されている詳細な説明からさらに明らかになるであろう。
【図１】図１は、ダウンリンク信号タイミング相互間と、通信システムでソフトハンドオフ状態中の移動局と２つのセルとの間で通信されるアップリンク信号に対するダウンリンク信号タイミングのブロック図である。
【図２】図２は、本発明のさまざまな実施形態にしたがったアクティブセット更新メッセージを通して移動局に通信されるデータフレーム時間オフセットに基づいてデータシンボルの時間境界を決定する移動局の受信機の一部のブロック図である。
【好ましい実施形態の詳細な説明】
【０００９】
方法および装置はシリアル番号第０９／３４５，２８３号を持つ“高速ＷＣＤＭＡ捕捉のための方法および装置”と題する特許出願で説明されており、本願の譲受人にともに譲渡されており、参照によりここに組み込まれている。第０９／３４５，２８３号出願はセルと移動局の同期のための方法および装置に対する説明を提供する。同期データに基づいて、移動局は移動局アップリンクデータフレームタイミングを基準とするデータフレーム時間オフセットを決定することができる。標準規格にしたがったアップリンク信号はセルからのダウンリンク信号の受信後の固定時間オフセット内で送信される。アップリンク信号時間オフセットは１０２４チップに固定されてもよい。移動局は観測された時間差を決定した後に、ＳＦＮ−ＳＦＮメッセージとして一般に知られているメッセージを通してセルに情報を送信する。３Ｇ ＴＳ２５．３３１ｖ３．２．０（２０００−０３）文書のセクション１０．３．７．９０は観測された時間差メッセージに対する説明および要求を提供する。観測された時間差情報はセル測定結果メッセージ１０．３．７．３に含まれる。移動局は周期的にセルに対して報告してもよい。移動局はチップ時間の単位で時間差を測定および報告する。
【００１０】
その基地局制御装置と接続されたセルは、測定報告メッセージでＳＦＮ番号を報告した移動局に向けられたダウンリンク物理チャネルに対してデータフレーム時間オフセットをセットする。３Ｇ ＴＳ２５．２２１ｖ３．２．０（２０００−０３）文書のセクション７およびそのサブセクションは、異なる物理チャネル間のタイミング差に対する説明を提供する。例えば、ダウンリンクに対して直接的に、アップリンクに対して間接的に、プライマリ共通制御物理チャネルをすべての物理チャネルに対するタイミング差として使用する。データおよび音声情報の通信に向けられた専用物理チャネルは、共通制御チャネルおよびパイロット物理チャネルからのデータフレーム時間オフセットでセットされる。データフレーム時間オフセットは共通制御チャネルおよびパイロット物理チャネルから２５６チップの倍数でセットされる。
【００１１】
移動局は、範囲内の各セルに対する、同期信号および共通パイロット信号のような信号の測定に基づいて報告メッセージを送信する。各報告メッセージは、アップリンクタイミングと各セルからのダウンリンクＰＮシーケンスフレームタイミング（すなわち、共通およびパイロットチャネルフレームタイミング）との間の時間遅延差測定値、およびＳＦＮ番号を含む。各基地局から移動局への伝搬距離は異なるかもしれない。各セルに対して移動局により測定された観測時間差は異なるかもしれない。ダウンリンクデータフレーム時間オフセットは、その対応する測定報告に基づいて各セルによりセットされる。各セルはその自己のタイミングで同期または非同期で動作してもよい。
【００１２】
図１を参照すると、例示的な状況では、セル１０２および１０３とソフトハンドオフ状況にある移動局１０１は２つのダウンリンク信号１１１および１１２を受信する。移動局は２つより多いセルとソフトハンドオフであってもよいが、説明を簡単にするために、２方向ハンドオフ状況を説明する。移動局１０１はセル１０２および１０３に受信されるべきアップリンク信号１１３を送信する。各セルは測定報告メッセージで報告された時間オフセット値を使用してデータフレーム時間オフセットをセットし、移動局により受信されるダウンリンク信号が、移動局から送信されるアップリンク信号から時間で約１０２４チップ離れるようにする。例示目的のために、例えば、アップリンク信号１１３は時間１２０で送信される。セル１０２はダウンリンク１１１を通して移動局１０１と通信する。セル１０２の共通制御チャネル時間基準が時間１２１の場合、セル１０２は時間１２１からのデータフレーム時間オフセット１２２をセットするので、伝搬遅延１２３を考慮に入れた後に、ダウンリンク信号１１１はアップリンク送信時間１２０から約１０２４チップ時間離れて到着する。
【００１３】
移動局１０１は測定報告メッセージを基地局制御装置１９０を含むネットワークに送信する。この基地局制御装置１９０はダウンリンク１１２と関係する時間フレームオフセット１２４を決定するのに必要なタイミング情報をセル１０３に知らせる。セル１０３はデータフレーム時間オフセット１２４をセットするので、ダウンリンク信号１１２の伝搬遅延に関係する伝搬遅延１２５を含んだ後に、アップリンク送信時間１２０から約１０２４チップ離れて移動局１０１にダウンリンク信号１１２が到着する。ダウンリンク信号１１１および１１２はしたがって移動局１０１において、アップリンク信号１１３の約１０２４チップ時間内に到着する。移動局１０１がそれぞれダウンリンク信号１１１および１１２を通して基地局１０２および１０３とソフトハンドオフ中であるときに、ソフト合成動作が実行されてもよい。
【００１４】
本発明の１つの実施形態では、データフレーム時間オフセット１２２および１２４は２５６チップ時間の増分である。ＰＮシーケンスの開始はセル共通制御およびパイロットチャネル時間フレームの開始と一致するようにセットされる。各ダウンリンク物理チャネルはＰＮシーケンスで拡散される。このようなことであるから、各ダウンリンク信号は他のものから時間で少なくとも２５６チップだけオフセットされている。異なる移動局に対するダウンリンク信号は同じタイミングオフセットを持つことができる。
【００１５】
本発明の１つの実施形態では、移動局１０１がデータシンボルレベルでソフト合成を実行しており、各ダウンリンク信号から抽出されたデータシンボルは、他のデータフレームの同じ位置の他のデータシンボルとの有効なソフト合成動作のためにデータフレームの位置に関して識別される。各データシンボルは期間で４チップと５１２チップとの間である。データフレーム時間オフセットは２５６チップの増分である。ダウンリンク信号を通して送信されるデータシンボルは、ソフト合成動作のために移動局において識別される必要がある。移動局により報告される測定値に依存して、データフレーム時間オフセット１２２はセル１０２によりセットされ、データフレーム時間オフセット１２４はセル１０３によりセットされる。ダウンリンク信号１１１を通して受信されるデータシンボルＳ１Ｘはダウンリンク信号１１２を通して受信されるデータシンボルＳ２Ｘと合成される必要がある。移動局１０１がデータシンボル境界を知らない場合には、異なるダウンリンク信号のデータシンボルはそれに対応して合成されないかもしれない。異なるセルからの信号がほぼ同じ時間に移動局に到着するように、セルはデータチャネルの送信タイミングを調整しようと試みるので、移動局がする１つのことは時間的に互いに“最も近い”シンボルを合成することである。しかしながら、測定報告の時間とソフト合成動作の開始との間で伝搬時間関係が変化する可能性はソフト合成動作について移動局に曖昧さを残す。
【００１６】
本発明のさまざまな実施形態にしたがうと、通信システム１００では、方法とこれに伴う装置は、ダウンリンクデータフレーム時間オフセットを決定し、セルから移動局１０１に送信されるアクティブセット更新メッセージを通してダウンリンクデータフレーム時間オフセットを送信することにより、移動局１０１にダウンリンクデータフレーム時間オフセットを知らせる。この方法およびこれに伴う装置は、移動局１０１により測定される時間オフセット情報を受信することをさらに含む。ダウンリンクデータフレーム時間オフセットを決定することは、移動局１０１により測定される時間オフセットに基づく。この方法およびこれに伴う装置は、測定報告メッセージを通して時間オフセットを受信することをさらに含む。時間オフセットは移動局１０１により測定される。測定報告メッセージは移動局１０１により少なくとも基地局制御装置１９０に送信される。
【００１７】
本発明の１つの実施形態では、移動局１０１は合成動作のためにデータシンボルの境界を識別した後にその内部タイミングを調整してもよい。有効な合成動作が可能である。その理由は、本発明の実施形態にしたがうと移動局１０１はセルにより使用されるデータフレーム時間オフセットを知っているからである。移動局１０１はデータシンボル境界を決定することができる。その理由はダウンリンク信号がＰＮシーケンスにより拡散され、このＰＮシーケンスの開始は共通制御チャネルおよびパイロットチャネルの開始と一致しているからである。移動局１０１はセルと通信している間に、進行中の同期プロセスを通してＰＮシーケンスの開始に関係するタイミングから導出された、共通制御チャネルおよびパイロットチャネルのタイミング境界を知る。移動局１０１はＰＮシーケンスタイミングを測定する。ＰＮシーケンスタイミングと制御／パイロットチャネルフレームタイミングとの間の関係を知ると、移動局１０１がフレームタイミングを導出できるようなる。移動局１０１は信号からＰＮシーケンスを除去することによりダウンリンク信号を逆拡散する。第１のデータシンボルの境界は、ＰＮシーケンスの開始からのデータフレーム時間オフセットの増分で時間オフセットしている。したがって、いったん移動局がデータフレーム時間オフセットを知ると、ＰＮシーケンスタイミングに対してデータフレーム境界の位置を決定することができる。データシンボルは期間で固定されていることから、第１のデータシンボル後の後続するデータシンボルの境界は容易に決定することができる。データシンボル合成動作は逆拡散動作後に生じる。移動局はレイク受信機フィンガのデータシンボル境界を調整して、他のダウンリンク信号に割り当てられた他のフィンガから出力されているデータシンボル境界に一致させることができる。
【００１８】
３Ｇ ＴＳ２５．３３１ｖ３．２．０（２０００−０３）文書のセクション８．３．４は、ソフトハンドオーバー動作、さもなければソフトハンドオフ動作として知られている動作で、アクティブセット更新メッセージを発生させる手順を提供する。アクティブセット更新の目的は、ソフトハンドオフ動作に関係する移動局とさまざまなセルとの間の接続のアクティブセットを更新することである。基地局制御装置（ＢＳＣ））１９０は手順を開始して、ダウンリンク接続を修正する。アクティブセット更新、測定報告などを含むすべてのシグナリングアクティビィティに対して、移動局はＢＳＣ１９０（あるいはＷＣＤＭＡ技術用語で無線ネットワーク制御装置（ＲＮＣ）と通信している。各セルには（コーディング／デコーディング、インターリーブ／デインターリーブ、拡散／逆拡散のような）いくつかの物理レイヤ処理を行うトランシーバが含まれる。３Ｇ ＴＳ２５．３３１ｖ３．２．０（２０００−０３）文書のセクション８．５．７は情報の受信に対する一般的なアクションに対して説明を提供する。新しいセクション８．５．７．６．１３が加えられてもよく、これは本発明のさまざまな実施形態にしたがって、移動局１０１がデータフレーム時間オフセットを受信したときに何を行うことが予想されているかについて説明している。セクション１０．３．６．１５にしたがうと、無線リンクに対するダウンリンクＤＰＣＨ情報は、ダウンリンクに関係するデータフレーム時間オフセットを含むように修正されてもよい。データフレーム時間オフセットは１チップ時間または２５６チップ時間の増分で通信されてもよい。
【００１９】
図２を参照すると、移動局における受信機の簡単化されたブロック図が、本発明のさまざまな実施形態にしたがうソフト合成動作に対して示されている。ダウンリンク信号２０４および２０５は、（示されていない）適切なダウンコンバートおよび信号処理後に、逆拡散器２０２および２０３に入力される。各ダウンリンク信号はセルと関係していてもよい。いったんアクティブセット更新メッセージが受信されると、データフレーム時間オフセット情報がタイミングブロック２０１に提供される。各ダウンリンク信号に関係するデータフレーム時間オフセットを知ったときに、タイミングブロック２０１は各ダウンリンク信号のデータフレーム境界を決定することができる。タイミングブロック２０１はデータフレーム時間オフセットに関係するダウンリンク信号に対応するＰＮシーケンスタイミングを調整して、各データフレーム中の対応するデータシンボルが合成器２１０で正しくソフト合成されるようにすることができる。ソフト合成動作の結果は情報を取り出すために復調器／デコーダ２２０に提供される。
【００２０】
したがって、データシンボルレベルにおけるソフト合成動作は高い効率および正確な結果で実行される。
【００２１】
好ましい実施形態の先の説明は当業者が本発明を作りおよび使用できるように提供されている。これらの実施形態に対するさまざまな修正は当業者に容易に明らかになるであろう。ここに規定されている一般的な原理は発明能力を使用することなく他の実施形態に適用することができる。したがって、本発明はここに示されている実施形態に制限されることを意図しているものではなく、ここに開示されている原理および新規な特徴と矛盾しない最も広い範囲にしたがうことを意図している。
【図１】
0005684317.tif 000002
【図２】
0005684317.tif 000003